(57)【要約】【課題】  オリジナルな創作や既存の著作物を朗読してＣＤ−ＲＯＭ等の情報記憶媒体に収録することができ、朗読者や音質などのクオリティを満たし、音楽や効果音などを好みで挿入することが可能なシステムの提供。【解決手段】  音声編集装置またはコンピュータ等の編集端末において、朗読音声を入力する朗読音声入力手段と、朗読音声データを記憶する朗読音声記憶手段と、複数の楽曲データを記憶する楽曲データ記憶手段と、文字データの内容に対応する楽曲データを、所定時間内に収まるように選択する楽曲データ選択手段と、選択された楽曲データを、音声入力される文字データの開始時と終了時の間のタイムライン上に指定する楽曲データ指定手段と、朗読音声記憶手段に記憶された朗読音声データに楽曲データを挿入する音声編集手段と、編集された音声データを情報記憶媒体に出力して記憶する音声データ収録手段とを備え、情報記憶媒体に音声データを格納する。【選択図】  図１
2005141870.tif 000002
【特許請求の範囲】
【請求項１】
入力手段、制御手段、表示手段、出力手段、記憶手段等を備えるコンピュータ制御機能を備えた音声編集装置、またはコンピュータ等の編集端末において、所定時間の音声データを記録する情報記憶媒体に音声データを格納するためのシステムであって、
音声入力を行う所定時間内の朗読時間に対応した文字数の文字データを朗読音声として入力する朗読音声入力手段と、
音声入力された朗読音声データを記憶する朗読音声記憶手段と、
あらかじめ複数の楽曲データを記憶する楽曲データ記憶手段と、
文字データの内容に対応する楽曲データを、所定時間内に収まるように一または複数選択する楽曲データ選択手段と、
選択された楽曲データを、音声入力される所定時間内において、音声入力される文字データの開始時と終了時の間のタイムライン上に指定する楽曲データ指定手段と、
朗読音声記憶手段に記憶された朗読音声データに、指定された楽曲データを挿入する音声編集手段と、
編集された音声データを情報記憶媒体に出力して記憶する音声データ収録手段とを備えたことを特徴とする、朗読音声データ編集システム。
【請求項２】
請求項１に記載の発明において、
前記の楽曲データ選択手段は、音声入力される朗読データのジャンル、文字データの作者情報、文字データの文字数、朗読時間、挿入される楽曲データの数の内の少なくともいずれかを指定することにより、楽曲データ候補がピックアップされることを特徴とする、朗読音声データ編集システム。
【請求項３】
請求項１または２のいずれかに記載の発明において、
前記の音声編集手段は、朗読音声記憶手段に記憶された朗読音声データを読み出して、編集を行った後に編集後の朗読音声データを記憶し、指定された楽曲データを挿入するものであることを特徴とする、朗読音声データ編集システム。
【請求項４】
請求項１〜３のいずれかに記載の発明において、
前記の音声編集手段は、朗読音声記憶手段に記憶された朗読音声データを読み出して、編集を行った後に編集後の朗読音声データを記憶し、編集後の朗読音声データのタイムライン上に楽曲開始・終了タイムを指定して、指定された開始・終了タイム間に指定された楽曲データを挿入するものであることを特徴とする、朗読音声データ編集システム。
【請求項５】
請求項１〜４のいずれかに記載の発明において、
音声入力を行う文字データは、デジタルデータとして入力されるものであって、前記の朗読音声データ編集システムにはさらに、デジタル文字データを記憶する文字データ記憶手段が備えられたことを特徴とする、朗読音声データ編集システム。
【請求項６】
請求項５に記載の発明において、
前記の朗読音声データ編集システムはインターネットに接続されてユーザー端末装置からアクセス可能な状態で備えられ、
前記のデジタル文字データは、インターネットを介して朗読音声データ編集システムにおいて受信され、送信を行ったユーザー情報に関連付けて前記の文字データ記憶手段に記憶されることを特徴とする、朗読音声データ編集システム。
【請求項７】
請求項５または６のいずれかに記載の発明において、
前記の朗読音声データ編集システムにはさらに、文字データ記憶手段に記憶された複数のデジタル文字データの中から、一または複数のデジタル文字データを審査員により審査するために、審査データを記憶する審査データ記憶手段と、入力された審査データを集計・演算した審査データ演算結果に基づき抽出を行う審査結果抽出手段とが備えられたことを特徴とする、朗読音声データ編集システム。
【請求項８】
請求項５〜７のいずれかに記載の発明において、
前記の朗読音声データ編集システムにはさらに、文字データ記憶手段に記憶されたデジタル文字データを審査員により添削または編集するために、添削・編集データを記憶する添削編集データ記憶手段が備えられたことを特徴とする、朗読音声データ編集システム。
【請求項９】
請求項１〜８のいずれかに記載の発明において、
出力される情報記憶媒体ごとに、朗読音声データ時間、朗読者情報、楽曲データ時間、楽曲データ数、楽曲データ情報、編集後の音声データ時間、情報記憶媒体の出力枚数、添削・編集情報の内の少なくともいずれかに基づき、情報記憶媒体出力費用を演算する費用演算手段が備えられたことを特徴とする、朗読音声データ編集システム。
【発明の詳細な説明】
【技術分野】
【０００１】
本発明は、朗読音声データ編集システムに関する。
【背景技術】
【０００２】
従来より、朗読による小説やドラマ、落語、その他の話者による音声の収録が行われている。
また、デジタル情報機器や録音機材などの発達により、朗読という従来からある手法を利用した様々な形態の技術が生まれている。
【０００３】
【特許文献１】特開平７−１２９６１９号公報
【特許文献２】特開２００３−６２３５５号公報
【０００４】
たとえば特開平７−１２９６１９「音声電子ブック」においては、電子ブックの表示用に作られたテキストをそのまま音声出力用に使えるようにして、音声で表示する本を作成するために、人間が本を朗読
した音声を録音していた時間と労力を不要にする技術が提案されている。
しかしながら、合成音声技術が発達したとはいえ、合成による音声は、感情をこめ、臨場感のある音声とはならず味気ない。また、朗読を行う者として特定の話者を起用することにより、完成した収録媒体の価値も上がるものである。
【０００５】
【特許文献２】特開２００３−６２３５５号公報
【０００６】
また特開２００３−６２３５５「書籍朗読玩具」においては、人形が朗読を行うとともに効果音、音楽などを奏でることにより、幼児であっても容易に操作することができ、「読書をする楽しみ」、「読書をする習慣」を無理なく養うことが可能な書籍朗読玩具が提案されている。
しかしながら、これはあらかじめ収録されている朗読を再生するものであって、オリジナルの文章の朗読を行い、収録するものではない。
【発明の開示】
【発明が解決しようとする課題】
【０００７】
今日では、自費出版やインターネット上での個人のホームページなどに見られるように、ごく一般的な人たちであっても表現をすることが盛んである。オリジナルな創作を朗読されたＣＤ−ＲＯＭやＤＶＤその他の情報記憶媒体に収録することができれば、半永久的に残るとともに、知人に配ったりすることができる。
【０００８】
【特許文献３】特開平１０−１４５４７０号公報
【０００９】
また特開平１０−１４５４７０「オーディオ機能付携帯電話」においては、携帯電話においてオーディオ機能を付加した多機能な携帯電話を提供することにより、ユーザーが気軽に喋ったり朗読したりしたことを録音することができる。
【００１０】
しかしながら、ＣＤ−ＲＯＭやＤＶＤその他の情報記憶媒体に収録する朗読音声は、音質などのクオリティが要求され、またそれなりの設備を用いて収録する必要がある。
また、各種の音楽や効果音などが必要になり、収録をする作業は素人では困難である。また音楽や効果音などは勝手に使用するのではなく、著作権の面でも問題をクリアしたものを使用できる環境が必要である。
一方、これらの要望を満たすためには、収録スタジオを借りる、朗読者を頼むなどの手間とコストをかけなければならない。
【００１１】
そこで本発明においては、上記の様々な課題を解決し、オリジナルな創作を朗読によりＣＤ−ＲＯＭやＤＶＤその他の情報記憶媒体に収録することができ、朗読者や音質などのクオリティを満たし、しかも各種の音楽や効果音などを好みで挿入することができ、しかもユーザーにとっては安価で手間もかからないシステムを提供することを目的とする。
【課題を解決するための手段】
【００１２】
上記課題を解決するため、請求項１に記載の発明においては、
入力手段、制御手段、表示手段、出力手段、記憶手段等を備えるコンピュータ制御機能を備えた音声編集装置、またはコンピュータ等の編集端末において、所定時間の音声データを記録する情報記憶媒体に音声データを格納するためのシステムであって、
音声入力を行う所定時間内の朗読時間に対応した文字数の文字データを朗読音声として入力する朗読音声入力手段と、
音声入力された朗読音声データを記憶する朗読音声記憶手段と、
あらかじめ複数の楽曲データを記憶する楽曲データ記憶手段と、
文字データの内容に対応する楽曲データを、所定時間内に収まるように一または複数選択する楽曲データ選択手段と、
選択された楽曲データを、音声入力される所定時間内において、音声入力される文字データの開始時と終了時の間のタイムライン上に指定する楽曲データ指定手段と、
朗読音声記憶手段に記憶された朗読音声データに、指定された楽曲データを挿入する音声編集手段と、
編集された音声データを情報記憶媒体に出力して記憶する音声データ収録手段とを備えた、朗読音声データ編集システムであることを特徴としている。
【００１３】
また、上記課題を解決するため、請求項２に記載の発明においては、
請求項１に記載の発明において、
前記の楽曲データ選択手段は、音声入力される朗読データのジャンル、文字データの作者情報、文字データの文字数、朗読時間、挿入される楽曲データの数の内の少なくともいずれかを指定することにより、楽曲データ候補がピックアップされる、朗読音声データ編集システムであることを特徴としている。
【００１４】
また、上記課題を解決するため、請求項３に記載の発明においては、
請求項１または２のいずれかに記載の発明において、
前記の音声編集手段は、朗読音声記憶手段に記憶された朗読音声データを読み出して、編集を行った後に編集後の朗読音声データを記憶し、指定された楽曲データを挿入する、朗読音声データ編集システムであることを特徴としている。
【００１５】
また、上記課題を解決するため、請求項４に記載の発明においては、
請求項１〜３のいずれかに記載の発明において、
前記の音声編集手段は、朗読音声記憶手段に記憶された朗読音声データを読み出して、編集を行った後に編集後の朗読音声データを記憶し、編集後の朗読音声データのタイムライン上に楽曲開始・終了タイムを指定して、指定された開始・終了タイム間に指定された楽曲データを挿入する、朗読音声データ編集システムであることを特徴としている。
【００１６】
また、上記課題を解決するため、請求項５に記載の発明においては、
請求項１〜４のいずれかに記載の発明において、
音声入力を行う文字データは、デジタルデータとして入力されるものであって、前記の朗読音声データ編集システムにはさらに、デジタル文字データを記憶する文字データ記憶手段が備えられた、朗読音声データ編集システムであることを特徴としている。
【００１７】
また、上記課題を解決するため、請求項６に記載の発明においては、
請求項５に記載の発明において、
前記の朗読音声データ編集システムはインターネットに接続されてユーザー端末装置からアクセス可能な状態で備えられ、
前記のデジタル文字データは、インターネットを介して朗読音声データ編集システムにおいて受信され、送信を行ったユーザー情報に関連付けて前記の文字データ記憶手段に記憶される、朗読音声データ編集システムであることを特徴としている。
【００１８】
また、上記課題を解決するため、請求項７に記載の発明においては、
請求項５または６のいずれかに記載の発明において、
前記の朗読音声データ編集システムにはさらに、文字データ記憶手段に記憶された複数のデジタル文字データの中から、一または複数のデジタル文字データを審査員により審査するために、審査データを記憶する審査データ記憶手段と、入力された審査データを集計・演算した審査データ演算結果に基づき抽出を行う審査結果抽出手段とが備えられた、朗読音声データ編集システムであることを特徴としている。
【００１９】
また、上記課題を解決するため、請求項８に記載の発明においては、
請求項５〜７のいずれかに記載の発明において、
前記の朗読音声データ編集システムにはさらに、文字データ記憶手段に記憶されたデジタル文字データを審査員により添削または編集するために、添削・編集データを記憶する添削編集データ記憶手段が備えられた、朗読音声データ編集システムであることを特徴としている。
【００２０】
また、上記課題を解決するため、請求項９に記載の発明においては、
請求項１〜８のいずれかに記載の発明において、
出力される情報記憶媒体ごとに、朗読音声データ時間、朗読者情報、楽曲データ時間、楽曲データ数、楽曲データ情報、編集後の音声データ時間、情報記憶媒体の出力枚数、添削・編集情報の内の少なくともいずれかに基づき、情報記憶媒体出力費用を演算する費用演算手段が備えられた、朗読音声データ編集システムであることを特徴としている。
【発明の効果】
【００２１】
本発明によれば、オリジナルな創作を朗読によりＣＤ−ＲＯＭやＤＶＤその他の情報記憶媒体に収録することができ、朗読者や音質などのクオリティを満たし、しかも各種の音楽や効果音などを好みで挿入することができ、しかもユーザーにとっては安価で手間もかからないシステムを提供することができる。
また、オリジナルな創作以外にも、既存の小説、エッセイ、詩、シナリオ、その他の著作物を朗読によりＣＤ−ＲＯＭやＤＶＤその他の情報記憶媒体に収録することができる。著作権の利用許諾の契約等の問題をクリアにした著作物を用意しておくこともでき、一般ユーザーが所望の著作物の朗読をしてもらい情報記憶媒体に収録してもらったり、あるいは著作者自身による朗読や、著作者が指定した有名俳優・声優による朗読を行い、情報記憶媒体に収録するといった利用方法も可能になる。
【発明を実施するための最良の形態】
【００２２】
以下、本発明の実施の形態について図面を参照して説明する。
本発明の朗読音声データ編集システムは、入力手段、制御手段、表示手段、出力手段、記憶手段等を備えるコンピュータ制御機能を備えた音声編集装置、またはコンピュータ等の編集端末において、所定時間の音声データを記録する情報記憶媒体に音声データを格納するためのシステムである。
【００２３】
（第一の実施形態）
本発明のシステムの第一の実施形態は、入力手段、制御手段、表示手段、出力手段、記憶手段等を備えるコンピュータ制御機能を備えた音声編集装置、またはコンピュータ等の編集端末が、単独で備えられるものである。好ましくは、音声入力に適した音響スタジオ、編集スタジオ、音楽スタジオ等に備えられる。
図１および図２は、本発明のシステムの第一の実施形態の基本的な構成の一例を示すシステム構成図である。
本発明のシステムとしては、通常、入力手段、制御手段、表示手段、出力手段、記憶手段等を備えるコンピュータ制御機能を備えた音声編集装置が用いられる。あるいはパーソナルコンピュータやワークステーション、サーバー装置などのコンピュータ端末が用いられる。スタジオの音響装置・入力機器、編集装置等と、パーソナルコンピュータやワークステーション、サーバー装置などのコンピュータ端末とが接続されてシステムを構成していてもよい。
これらの装置は、コンピュータ端末は、制御手段、記憶手段、入力手段、出力手段、表示手段などを備える。また必要に応じインターネットに代表されるコンピュータネットワークに接続しデータの送受信を行う機能を備え、ブラウザや電子メールソフトウェア、ワードプロセッサなどのアプリケーションプログラムや、オペレーティングシステム（ＯＳ）を備える。
【００２４】
（第二の実施形態）
本発明の第二の実施形態は、第一野実施形態の朗読音声データ編集システムがインターネットに接続されてユーザー端末装置からアクセス可能な状態で備えられた形態である。インターネット以外にも、専用線により接続されたネットワーク形態や、企業内ＬＡＮ、企業間ＬＡＮ、ＷＡＮなどの形態を広く含む。またここで用いられる通信回線の形態には、有線通信、無線通信の形態を広く含み、衛星通信や、Ｂｌｕｅｔｏｏｔｈなどを用いた接続形態を含んでいてもよい。
図３および図４は、本発明のシステムの第一の実施形態の基本的な構成の一例を示すシステム構成図である。
本発明のシステムに接続するためのユーザー端末装置としては、通常、パーソナルコンピュータやワークステーションなどのコンピュータ端末が用いられる。また、インターネット等に接続可能なブラウザ機能を搭載した携帯電話をはじめとする無線通信端末、携帯情報端末や、インターネットＴＶ、ゲーム機器、テレビ会議システム、その他のネットワーク接続機能を備えた家電製品などの機器によりアクセス可能にしてもよい。
ユーザー端末装置端末は、制御手段、記憶手段、入力手段、出力手段、表示手段などを備える。またインターネットに代表されるコンピュータネットワークに接続し、データの送受信を行う機能を備え、ブラウザや電子メールソフトウェア、ワードプロセッサなどのアプリケーションプログラムや、オペレーティングシステム（ＯＳ）を備える。
【００２５】
第二の実施形態においては、ユーザー端末装置からアクセスするために、好ましくはコンテンツデータ及びプログラムを記憶するウェブサーバーが設置されている。
コンテンツデータには、ＨＴＭＬファイル、ＸＭＬファイルなどのＷＥＢ上に表示されるデータファイルや、Ｃ−ＨＴＭＬファイルなどのＷＥＢサイトにアクセス可能な携帯電話等に表示されるデータファイルなどが含まれる。
また、これらのファイルに挿入されるなどして表示又は出力される、文字データファイル、音声データファイル、画像データファイル、動画像データファイル、その他の様々なコンテンツデータを記憶することができる。
【００２６】
（システムの構成）
次に、第一の実施形態および第二の実施形態において共通する、本発明のシステムの構成について説明する。
本発明のシステムは、音声入力を行う所定時間内の朗読時間に対応した文字数の文字データを朗読音声として入力する朗読音声入力手段を備えている。
朗読音声入力手段としては、コンピュータ制御機能を備えた音声編集装置、またはコンピュータ等の編集端末に接続された各種のマイクを利用することができる。
パッシブ回路で構成され、マイク本体に電源を供給する必要がなく、主としてボーカル収録用に利用されるダイナミック・マイクや、アクティブ回路で構成され、マイク本体に電源を供給する必要があるコンデンサー・マイク、真空管マイク、卓上などに置いて使用する薄型のバウンダリー・マイク、頭部につけてマイク本体を常に口元に位置させるヘッドセット・マイクなどを利用することができ、ワイヤレスマイクとケーブルで接続されるものとのいずれであってもよい。
【００２７】
次に本発明のシステムは、音声入力された朗読音声データを記憶する朗読音声記憶手段を備えている。
朗読音声入力手段により入力された朗読音声データは、アナログまたはデジタルで録音されるが、最終的にはＣＤ−ＲＯＭ、ＤＶＤその他の情報記憶媒体に出力され収録されるので、アナログ音声で記憶した場合には、アナログからデジタルへの変換を行い記憶する。編集を行うためにはデジタル音声データで記憶されることが好ましい。
【００２８】
次に本発明のシステムは、あらかじめ複数の楽曲データを記憶する楽曲データ記憶手段を備えている。
楽曲データ記憶手段に記憶される楽曲データは、クラシック音楽、ポピュラー音楽、歌謡曲、ロック、ジャズ、邦楽・洋楽、歌唱入り・カラオケなどのジャンル等には限定されず、様々な楽曲データを記憶する。また、あらかじめ録音され記憶されている楽曲データ以外にも、音楽スタジオでマイクにより歌唱や楽器演奏などを録音した上で楽曲データ記憶手段に記憶することができる。さらに楽曲以外にも、各種のＢＧＭや、効果音、ジングル、その他の音声データを記憶しておき、利用することができる。
楽曲データ記憶手段に記憶されている上記の各種の楽曲データには、楽曲データに関連付けられて、各種の楽曲データ情報が記憶されている。
楽曲データ情報は、楽曲データのジャンル、楽曲データの歌手情報・演奏者情報・作曲者情報・作詞者情報・制作者情報、楽曲の時間などの楽曲データに関連するデータである。
【００２９】
次に本発明のシステムは、文字データの内容に対応する楽曲データを、所定時間内に収まるように一または複数選択する楽曲データ選択手段を備えている。
楽曲データ選択手段は、楽曲データ記憶手段に記憶されている楽曲データの中から、一つの楽曲データ、または複数の楽曲データを選択するものである。たとえば楽曲Ａと、楽曲Ｂと、効果音Ｃとを選択する。
選択方法は手動でもよいが、好ましくはデジタルデータとしてハードディスクなどの記憶装置やＣＤ−ＲＯＭ、ＤＶＤ、その他のデジタル情報記憶媒体に記憶されている楽曲データの中から検索・抽出することにより選択可能にされていることが好ましい。こうした場合には、音声入力される朗読データのジャンル、文字データの作者情報、文字データの文字数、朗読時間、挿入される楽曲データの数の内の少なくともいずれかを指定することにより、楽曲データ候補がピックアップされるようにすることができる。
たとえば朗読される音声データが５０分の音声データとして編集され収録される場合に、その内の３０分間に３つの音楽の楽曲データを挿入し、さらに２つの効果音を挿入して編集を行うとする。音声入力される朗読データが、高齢の男性作者による、自伝的な内容のものであって、５０分間に収まる所定の文字数からなる文字データを朗読するものであるとする。また、挿入される楽曲データの数として、音楽が３つ、効果音が２つであるとする。これらの情報を指定することにより、これらを検索キーとして、挿入する楽曲データの候補を検索・抽出しピックアップすることができる。
図５および図６は、検索による場合の表示手段の画面の一例を示し、図７は検索結果の一例を示している。
【００３０】
次に本発明のシステムは、選択された楽曲データを、音声入力される所定時間内において、音声入力される文字データの開始時と終了時の間のタイムライン上に指定する楽曲データ指定手段を備えている。
楽曲データ指定手段は、音声データの編集画面において、最終的に収録される音声データのタイムラインを設定し、朗読データおよび楽曲データの開始時間と終了時間を指定する。また、楽曲データは１曲のデータ全体を指定する昨日のほか、１曲の内の途中などの一定の部分を指定することもできる。たとえば楽曲の開始後３０秒以降の部分を指定して使用する場合などである。
図８は、音声入力される文字データの開始時と終了時の間のタイムライン上に、選択された楽曲データを指定した一例を示す、表示手段の画面の一例を示す。
【００３１】
次に本発明のシステムは、朗読音声記憶手段に記憶された朗読音声データに、指定された楽曲データを挿入する音声編集手段を備えている。
音声編集手段は、朗読音声データを編集する機能を備えていることが望ましい。この場合には、朗読音声記憶手段に記憶された朗読音声データを読み出して、編集を行った後に編集後の朗読音声データを記憶し、指定された楽曲データを挿入する。朗読音声を編集した際には、楽曲データ指定手段は音声データの編集画面において、最終的に収録される編集後の音声データに基づきタイムラインを設定し、編集後の朗読音声データのタイムライン上に楽曲開始・終了タイムを指定して、指定された開始・終了タイム間に指定された楽曲データを挿入する。
また、楽曲データと朗読音声データそれぞれの音量を調整して指定したり、フェイドイン・フェイドアウトなどの効果を指定することができ、さらに各楽曲データのアレンジなどを可能にしてもよい。楽曲データの出力方法・再生方法等を設定することが可能な楽曲出力・再生プログラムが備えられ、複数の楽曲データをミキシングしたり、アレンジしたり等の様々な機能を備え、設定したタイムライン上の指定に沿って同期して収録され再生されるようにすることもできる。
【００３２】
次に本発明のシステムは、編集された音声データを情報記憶媒体に出力して記憶する音声データ収録手段を備えている。
音声データ収録手段は、編集された音声データをデジタル音声データとして、ＣＤ−ＲＯＭやＤＶＤ、その他のデジタル記録メディアである情報記憶媒体に書き込みを行う。そのデータ形式には様々なものを含むことができる。たとえば、Ｗｉｎｄｏｗｓ（登録商標）で一般的なオーディオファイル形式であるＷＡＶファイル（拡張子ｗａｖ）、Ｍａｃｈｉｎｔｏｓｈ（商標）で一般的なオーディオファイル形式であるＡＩＦＦファイル形式（拡張子ａｉｆ）、ＵＮＩＸ（登録商標）で一般的なオーディオファイル形式であるＡＵ（拡張子ａｕ）、ストリーミング再生で一般的なファイル形式ＲｅａｌＡｕｄｉｏ（商標、拡張子ｒｍ）、ＭＰＥＧ−１  AudioＬａｙｅｒ−IIIの音声圧縮技術を使ったファイル形式であるＭＰ３（拡張子ｍｐ３）、その他の様々な形式である。
【００３３】
次に、本発明のシステムを応用した実施形態について説明する。
朗読により音声入力を行う文字データは、デジタルデータとして入力されるものである場合には、文字データをデジタルデータとして受領することができる。
前記の朗読音声データ編集システムにはさらに、デジタル文字データを記憶する文字データ記憶手段が備えられている。
文字データをデジタルデータとして受領する処理は、本発明のシステムを運用する者がデジタル文字データをシステムに読み込んで、記憶装置に記憶させてもよい。デジタル文字データの著者であるユーザーのユーザー名その他のユーザー情報と関連付けて記憶することが望ましく、ユーザー情報データベースを備え、完成した情報記憶媒体の納期や発注枚数、納品先、情報記憶媒体の収録・制作費用、その他の情報を併せて記憶しておくことも望ましい。
また、オリジナルな創作以外にも、既存の小説、エッセイ、詩、シナリオ、その他の著作物を、デジタル文字データとして文字データ記憶手段に記憶しておいてもよい。著作権の利用許諾の契約等の問題をクリアにした著作物を用意しておくこともできる。
【００３４】
デジタル文字データの受領は、本発明の第二の実施形態においては、ユーザー端末装置からインターネットを介して送信され、本発明のシステムにおいて受領するようにしてもよい。
前記のデジタル文字データは、インターネットを介して朗読音声データ編集システムにおいて受信され、送信を行ったユーザー情報に関連付けて前記の文字データ記憶手段に記憶される。
また、ユーザーがインターネットを介してアクセスする場合にはユーザー認証を行う。ユーザー認証には様々な認証方法を利用することができるが、代表的な方式としては、ユーザー端末装置からユーザー登録を行い、コンテンツ配信を受けるためのユーザーＩＤやパスワードなどが発行される形態が一般的には用いられる。ユーザー登録される情報としては、氏名、住所、電話番号、決済方法に関する情報、電子メールアドレスなどの情報などである。
【００３５】
また、複数のユーザーからデジタル文字データを募集して、複数の著作であるデジタル文字データの中から審査により著作の絞込みを行った上で、情報記憶媒体に収録するデジタル文字データを決定することもできる。一つの情報記憶媒体に複数のユーザーから寄せられたデジタル文字データの朗読音声データを収録するようにしてもよい。
コンテスト形式等により審査を行う場合には、本発明のシステムにはさらに、文字データ記憶手段に記憶された複数のデジタル文字データの中から、一または複数のデジタル文字データを審査員により審査するために、審査データを記憶する審査データ記憶手段と、入力された審査データを集計・演算した審査データ演算結果に基づき抽出を行う審査結果抽出手段とが備えられている。
審査データは、点数でもコメント等のデータであってもよく、その入力、記憶方法は、本発明のシステムを運用する者が審査データをシステムに読み込んで、記憶装置に記憶させてもよい。また、審査員の端末装置からインターネットを介して送信され、本発明のシステムにおいて受領するようにしてもよい。
前記の審査データは、インターネットを介して朗読音声データ編集システムにおいて受信され、デジタル文字データまたはその著者であるユーザー情報に関連付けて審査データ記憶手段に記憶される。
審査データ記憶手段に記憶されたデータは点数の演算その他のデータ処理により集計・演算し、審査データ演算結果に基づき審査結果の抽出を行う。
【００３６】
また、本発明のシステムにはさらに、文字データ記憶手段に記憶されたデジタル文字データを審査員により添削または編集するために、添削・編集データを記憶する添削編集データ記憶手段を備えるようにしてもよい。
添削データは、元のデジタル文字データを修正せずにコメント等を加えるデータであり、編集データは、元のデジタル文字データを修正・改変したうえで再度記憶するものである。
【００３７】
本発明のシステムを利用した情報記憶媒体への収録と出力は、ユーザーからの依頼により行うサービスとして提供する場合には、有料サービスとして費用を徴収する。この場合において、出力される情報記憶媒体ごとに、朗読音声データ時間、朗読者情報、楽曲データ時間、楽曲データ数、楽曲データ情報、編集後の音声データ時間、情報記憶媒体の出力枚数、添削・編集情報の内の少なくともいずれかに基づき、情報記憶媒体出力費用を演算する費用演算手段が備えることにより、これらの様々な条件や仕様などに応じ、自動的に費用計算を行うことができる。
【００３８】
図９は、本発明の基本的な処理の流れの一例を示すフローチャートである。なおここに示す処理は一例であって、様々な応用や変形をすることができる。
システムを起動してメニューを表示させ（Ｓ１００）、朗読音声入力処理を選択する（Ｓ１０１）。朗読者がマイクにより朗読音声の入力処理を行う（Ｓ１０２）。
次に楽曲データ指定処理を選択し（Ｓ１０３）、あらかじめ用意された楽曲データ検索処理を行い（Ｓ１０４）、楽曲データのリストを表示する（Ｓ１０５）。試聴をする場合には（Ｓ１０７）、視聴する楽曲を選択して視聴する。
採用する楽曲データを選択し（Ｓ１０６）、編集画面にてタイムラインを設定する（Ｓ１０８）。
朗読音声データの編集を場合には（Ｓ１０９）、不要箇所を削除する等の編集処理を行い（Ｓ１１０）、タイムラインも編集後の音声データに合った時間になる。
次に選択した楽曲データをタイムライン上で指定する処理処理を行い（Ｓ１１１）、指定された楽曲とその開始時間・終了時間に基づき、楽曲データの挿入を行い編集処理がされる（Ｓ１１２）。
編集処理が完了し、完成した音声データをＣＤ−ＲＯＭその他の情報記憶媒体に出力し収録する処理を行う（Ｓ１１３）。同一の情報記憶媒体を複数枚制作する場合には必要な数の情報記憶媒体に音声データを記憶する。
【産業上の利用可能性】
【００３９】
以上詳細に説明したように、本発明によれば、オリジナルな創作を朗読によりＣＤ−ＲＯＭやＤＶＤその他の情報記憶媒体に収録することができ、朗読者や音質などのクオリティを満たし、しかも各種の音楽や効果音などを好みで挿入することができ、しかもユーザーにとっては安価で手間もかからないシステムを提供することができる。
【図面の簡単な説明】
【００４０】
【図１】本発明のシステムの基本的な構成の一例を示すシステム構成図である。
【図２】本発明のシステムの基本的な構成の一例を示すシステム構成図である。
【図３】本発明のシステムの基本的な構成の一例を示すシステム構成図である。
【図４】本発明のシステムの基本的な構成の一例を示すシステム構成図である。
【図５】検索による場合の表示手段の画面の一例を示す図である。
【図６】検索による場合の表示手段の画面の一例を示す図である。
【図７】検索結果の一例を示す図である。
【図８】音声入力される文字データの開始時と終了時の間のタイムライン上に、選択された楽曲データを指定した一例を示す図である。
【図９】本発明の基本的な処理の流れの一例を示すフローチャートである。
【図４】
2005141870.tif 000003
【図１】
2005141870.tif 000004
【図２】
2005141870.tif 000005
【図３】
2005141870.tif 000006
【図５】
2005141870.tif 000007
【図６】
2005141870.tif 000008
【図７】
2005141870.tif 000009
【図８】
2005141870.tif 000010
【図９】
2005141870.tif 000011